(57)【要約】【課題】所定の補正処理が施されて表示部に表示されている画像データをプリントする際に、操作者にとって良好な操作性を有する画像受付装置およびこれを備えた画像プリント装置、画像受付処理プログラムを提供する。【解決手段】写真プリント装置１においては、受付部３４が、ディスプレイに表示されているくっきりモードに対応して補正処理（グレースケール表示）された画像データに対するプリント命令を受け付けると、プリント制御部３７は、グレースケール表示に補正処理された画像データと補正処理される前の画像データとの両方をプリントするようにプリンタ３を制御する。【選択図】図３
2009025352.tif 000002
【特許請求の範囲】
【請求項１】
表示部に表示される画像データに対する各種処理を受け付けると共に、前記画像データをプリントするプリント部を制御する画像受付装置であって、
前記画像データに所定の補正処理を施して前記表示部に表示させる表示制御部と、
前記表示部に表示された前記画像データに対するプリント処理の実行を受け付ける受付部と、
前記受付部が前記プリント処理の実行を受け付けると、前記表示制御部によって前記補正処理された前記画像データと前記補正処理される前の前記画像データとの両方をプリントするように前記プリント部を制御するプリント制御部と、
を備えている画像受付装置。
【請求項２】
前記表示制御部は、色弱者用表示に補正処理する、
請求項１に記載の画像受付装置。
【請求項３】
前記色弱者用表示は、グレースケール表示である、
請求項２に記載の画像受付装置。
【請求項４】
前記プリント部によってプリントされる画像が最適となるように自動的に補正を行う画像処理部をさらに備えており、
前記表示制御部が前記画像データを前記色弱者用表示に補正した場合、前記画像処理部は、前記画像データに対して前記画像処理を実行しない、
請求項２または３に記載の画像受付装置。
【請求項５】
前記画像データに対してテンプレートを合成する合成部をさらに備えており、
前記表示制御部は、前記画像データのうち前記合成部によって合成された前記テンプレート部分のみ前記補正処理を実行する、
請求項２から４のいずれか１項に記載の画像受付装置。
【請求項６】
前記表示制御部が前記画像データに施す補正方法を選択する補正方法選択部をさらに備えており、
前記表示制御部は、前記補正方法選択部によって選択された前記補正方法に基づいて前記画像データを補正する、
請求項１から５のいずれか１項に記載の画像受付装置。
【請求項７】
前記表示部に表示される前記画像データの表示色について調整可能な表示色調整部をさらに備えている、
請求項１から６のいずれか１項に記載の画像受付装置。
【請求項８】
前記補正処理後の前記画像データを前記プリント部にプリントさせるモードと、前記補正処理前の前記画像データを前記プリント部にプリントさせるモードと、前記補正処理前および前記補正処理後の前記画像データを前記プリント部にプリントさせるモードと、を選択可能にするプリント選択部をさらに備えており、
前記プリント制御部は、前記プリント選択部において選択されたモードに基づいて前記プリント部を制御する、
請求項１から７のいずれか１項に記載の画像受付装置。
【請求項９】
請求項１から８のいずれか１項に記載の画像受付装置と、
前記画像データを表示する表示部と、
前記画像受付装置に制御され、前記画像データをプリントするプリント部と、
を備えている画像プリント装置。
【請求項１０】
表示部に表示される画像データに対する各種処理を受け付けると共に、前記画像データをプリントするプリント部を制御する画像受付処理方法をコンピュータに実行させる画像受付処理プログラムであって、
前記画像データに所定の補正処理を施して前記表示部に表示させる第１のステップと、
前記表示部に表示された前記画像データに対するプリント処理の実行を受け付ける第２のステップと、
前記第１のステップにおいて補正処理された前記画像データと補正処理される前の前記画像データとの両方をプリントするように前記プリント部を制御する第３のステップと、
を備えている画像受付処理プログラム。
【発明の詳細な説明】
【技術分野】
【０００１】
本発明は、操作画面を介して画像データの処理に関する各種設定を受け付ける画像受付装置およびこれを備えた画像プリント装置、画像受付処理プログラムに関する。
【背景技術】
【０００２】
従来より、デジタルカメラ等によって撮影された画像データを、表示部に映し出される操作画面に従ってユーザ自らが操作し、プリントを実行させる画像受付装置が実用化されている。そして、そのような画像受付装置では、操作画面に表示される画像データに対してノイズ補正や収差補正等、様々な画像補正を行うことが可能で、操作者は、画像データに対して所望の補正を行うことができる。また、操作者は、操作画面に表示された画像データをプリントすることも可能である。
【０００３】
例えば、特許文献１においては、色弱者が操作画面に表示される画像データを確実に識別できるようにするために、画像データを色弱者用表示に補正して操作画面に表示している。また、プリントする際には、色弱者用表示に補正した画像データ、すなわち、操作画面に表示された状態の画像データをプリントする技術が開示されている。
【特許文献１】特開２００６−２４６０７２号公報
【特許文献２】特開２００３−７６７７４号公報
【発明の開示】
【発明が解決しようとする課題】
【０００４】
しかしながら、上記従来の画像受付装置では、以下に示すような問題点を有している。
すなわち、操作者が、所定の補正処理を行う前の画像データもプリントしたい場合には、もう一度所定の操作を繰り返す必要がある。
特許文献２においては、画像データを補正した場合には、補正前の画像データに関する情報と、補正後の画像データに関する情報とを同時に保存する技術は開示されているが、同時にプリントするような記載はない。
【０００５】
本発明は、上記従来の課題を解決するもので、所定の補正処理が施されて表示部に表示されている画像データをプリントする際に、操作者にとって良好な操作性を有する画像受付装置およびこれを備えた画像プリント装置、画像受付処理プログラムを提供することを目的とする。
【課題を解決するための手段】
【０００６】
第１の発明に係る画像受付装置は、表示部に表示される画像データに対する各種処理を受け付けると共に、前記画像データをプリントするプリント部を制御する画像受付装置であって、表示制御部と、受付部と、プリント制御部と、を備えている。表示制御部は、画像データに所定の補正処理を施して表示部に表示させる。受付部は、表示部に表示された画像データに対するプリント処理の実行を受け付ける。プリント制御部は、受付部がプリント処理の実行を受け付けると、表示制御部によって補正処理された画像データと補正処理される前の画像データとの両方をプリントするようにプリント部を制御する。
【０００７】
ここでは、表示部に表示された所定の補正処理が施された画像データに対してプリント処理を実行した時、所定の補正処理が施された画像データと補正処理が施される前の画像データとの両方をプリントさせる。
なお、ここでいう表示部とは、ブラウン管や液晶ディスプレイ等を含み、また、画像データとは、デジタルカメラ等で撮影した画像や、各種処理設定を入力するための操作画面、あるいは、ウェブページ等、表示部に表示される表示内容全般をいう。さらに、各種命令には、画像補正や、プリント注文時の設定等を含む。また、ここでいう補正処理される前の画像データとは、例えば、画像データに対して複数の画像処理が施された場合には、最終的な補正がされる前の画像データも含む。
【０００８】
ここで、例えば、画像データにノイズ補正等を施した画像データを表示部に表示したり、色弱者が表示部に表示された画像を確実に認識できるようにするために画像データを色弱者用表示に補正して表示部に表示する場合がある。
従来の画像受付装置において画像データをプリントする場合、補正処理後の画像データ、すなわち、表示部に表示されている画像データをプリントする。ところが、補正処理後および補正処理前の画像データのプリントを比較したいというニーズや、色弱者用表示に補正された画像データだけでなく、補正処理前の通常表示の画像データもプリントしたいというニーズがある。そして、従来の画像受付装置において補正処理前の画像データをプリントする場合には、もう一度所定の処理を繰り返す必要があり操作性が悪い。
【０００９】
そこで、本発明の画像受付装置においては、受付部が表示制御部によって補正処理された画像データに対するプリント処理を受け付けると、プリント制御部が、補正処理された画像データと補正処理される前の画像データとの両方をプリントするようにプリント部を制御する。
これにより、操作者は、プリント処理を実行させるための一度の操作をするだけで、補正処理前の画像データと補正処理後の画像データとを同時にプリントさせることが可能となる。
この結果、所定の補正処理が施された画像データをプリントする際に、操作者にとって良好な操作性を提供することが可能となる。
【００１０】
第２の発明に係る画像受付装置は、第１の発明に係る画像受付装置であって、表示制御部は、色弱者用表示に補正処理する。
ここでは、表示制御部が、色弱者用表示に補正処理された画像データを表示部に表示する。すなわち、受付部が色弱者用表示に補正処理された画像データが表示部に表示されている時にプリント処理命令を受け付けると、プリント制御部は、色弱者用表示に補正された画像データと色弱者用表示に補正する前の画像データとの両方をプリントするようにプリント部を制御している。
【００１１】
ここで、色弱者は、表示画面に表示された画像データを確実に識別するために、色弱者用表示に補正処理して表示部に表示させる。従来の画像受付装置においては、上述のように補正処理した画像データをプリントする場合には、表示部に表示されている画像データ、すなわち、色弱者用表示に補正された画像データしかプリントすることができない。ところが、色弱者用表示に補正された画像データのプリントだけでなく、健常者の方に渡すために、色弱者用表示に補正処理する前の画像データをプリントしたいというニーズがある。そして、従来の画像受付装置において補正処理前の画像データをプリントする場合には、もう一度所定のプリント処理を繰り返す必要があり、操作者にとって操作性が悪かった。
【００１２】
これにより、表示部に表示されている画像データが色弱者用表示に補正された場合であっても、補正処理前の画像データを一度の操作でプリントすることが可能となる。
この結果、色弱者用表示された補正処理が施された画像データをプリントする際に、操作者にとって良好な操作性を提供することが可能となる。
【００１３】
第３の発明に係る画像受付装置は、第２の発明に係る画像受付装置であって、色弱者用表示は、グレースケール表示である。
ここでは、色弱者用表示の一つとして、白から黒までの明暗だけで表現し、色の情報を含まないグレースケール表示を適用している。
これにより、色の情報を含まないで画像データを形成することが可能となるので、色弱者が、色情報を含んでいることによって表示データを識別できないという可能性を排除することが可能となる。
【００１４】
第４の発明に係る画像受付装置は、第２または第３の発明に係る画像受付装置であって、プリント部によってプリントされる画像が最適となるように自動的に補正を行う画像処理部をさらに備えている。そして、表示制御部が画像データを色弱者用表示に補正した場合、画像処理部は、画像データに対して画像処理を実行しない。
ここでは、画像処理部が、例えば、ノイズ補正等を自動的に行う機能を有している場合であっても、色弱者用表示に補正処理された画像データに対しては、自動補正を行わない。
これにより、色弱用表示に補正された画像データが自動的に補正されることによって識別性を損なうことを回避することができる。
【００１５】
第５の発明に係る画像受付装置は、第２から第４の発明のいずれか１つに係る画像受付装置であって、画像データに対してテンプレートを合成する合成部をさらに備えている。そして、表示制御部は、画像データのうち合成部によって合成されたテンプレート部分のみ補正処理を実行する。
【００１６】
ここでは、合成部によってテンプレートと合成された画像データが表示部に表示されている場合、表示制御部は、画像データのうちテンプレートの部分のみを色弱者用表示に補正処理する。
なお、ここでいうテンプレートとは、画像データと合成するためのフレーム等の画像であって、画像データに合成することによって容易にポストカード、名刺、カレンダー等をプリントすることができる。
これにより、一般的に色の区別がつきにくい人工色のテンプレートを確実に識別することが可能となる。
【００１７】
第６の発明に係る画像受付装置は、第１から第５の発明のいずれか１つに係る画像受付装置であって、表示制御部が画像データに施す補正方法を選択する補正方法選択部をさらに備えている。そして、表示制御部は、補正方法選択部によって選択された補正方法に基づいて画像データを補正する。
ここでは、表示部に表示する画像データの補正方法を選択することができる。
これにより、操作者は、好みあるいは必要に応じて表示部に表示される画像データを選択することが可能となる。
【００１８】
第７の発明に係る画像受付装置は、第１から第６の発明のいずれか１つに係る画像受付装置であって、表示部に表示される画像データの表示色について調整可能な表示色調整部をさらに備えている。
ここでは、表示部に表示される画像データの表示色の調整を行うことができる。
なお、ここでいう色についての調整には、濃度、明度、彩度等の調整を含んでいる。
ここで、一般的に、表示データの見え方には個人差による違いがある。
これにより、画像データの色について個々に調整することができるので、操作者にとって最良の表示（最も見やすい表示）をすることが可能となる。
【００１９】
第８の発明に係る画像受付装置は、第１から第７の発明のいずれか１つに係る画像受付装置であって、補正処理後の画像データをプリント部にプリントさせるモードと、補正処理前の画像データをプリント部にプリントさせるモードと、補正処理前および補正処理後の画像データをプリント部にプリントさせるモードと、を選択可能にするプリント選択部をさらに備えている。そして、プリント制御部は、プリント選択部において選択されたモードに基づいてプリント部を制御する。
【００２０】
ここでは、プリント選択部によって選択されたモード（従来の補正処理後の画像データ、すなわち、表示部に表示されている画像データのみをプリントするモードと、補正処理前の画像データのみをプリントするモードと、補正処理後および補正処理前の両方の画像データをプリントするモード）に基づいて、プリント部にプリントを実行させる。
これにより、操作者が必要に応じてプリントする種類を選択することが可能となる。
【００２１】
第９の発明に係る画像プリント装置は、上述に記載の画像受付装置と、表示部と、プリント部と、を備えている。表示部は、画像データを表示する。プリント部は、画像受付装置に制御され、画像データをプリントする。
【００２２】
第１０の発明に係る画像受付処理プログラムは、表示部に表示される画像データに対する各種処理を受け付けると共に、画像データをプリントするプリント部を制御する画像受付処理方法をコンピュータに実行させる画像受付処理プログラムであって、第１のステップから第３のステップを備えている。第１のステップは、画像データに所定の補正処理を施して表示部に表示させる。第２のステップは、表示部に表示された画像データに対するプリント処理の実行を受け付ける。第３のステップは、第１のステップにおいて補正処理された画像データと補正処理される前の画像データとの両方をプリントするようにプリント部を制御する。
【００２３】
ここでは、第２のステップにおいて、表示部に表示された所定の補正処理が施された画像データに対してプリント処理を実行した時、第３のステップにおいて、所定の補正処理が施された画像データと補正処理が施される前の画像データとの両方をプリント部にプリントさせる。
なお、ここでいう表示部とは、ブラウン管や液晶ディスプレイ等を含み、また、画像データとは、デジタルカメラ等で撮影した画像や、各種処理設定を入力するための操作画面、あるいは、ウェブページ等、表示部に表示される表示内容全般をいう。さらに、各種命令には、画像補正や、プリント注文時の設定等を含む。
【００２４】
ここで、例えば、画像データにノイズ補正等を施した画像データを表示部に表示したり、色弱者が表示部に表示された画像を確実に認識できるようにするために画像データを色弱者用表示に補正して表示部に表示する場合がある。
従来の画像受付処理プログラムにおいて画像データをプリントする場合、補正処理後の画像データ、すなわち、表示部に表示されている画像データをプリントする。ところが、補正処理後および補正処理前の画像データのプリントを比較したいというニーズや、色弱者用表示に補正された画像データだけでなく、補正処理前の通常表示の画像データもプリントしたいというニーズがある。そして、従来の画像受付処理プログラムにおいて補正処理前の画像データをプリントする場合には、もう一度所定の処理を繰り返す必要があり操作性が悪い。
【００２５】
そこで、本発明の画像受付処理プログラムにおいては、第１のステップにおいて補正処理された画像データに対するプリント処理を受け付けると、第３のステップにおいて、補正処理された画像データと補正処理される前の画像データとの両方をプリントするようにプリント部を制御する。
これにより、操作者は、プリント処理を実行させるための一度の操作をするだけで、補正処理前の画像データと補正処理後の画像データとを同時にプリントさせることが可能となる。
【００２６】
この結果、所定の補正処理が施された画像データをプリントする際に、操作者にとって良好な操作性を提供することが可能となる。
【発明の効果】
【００２７】
本発明に係る画像受付装置によれば、補正された表示データをプリントする際に、操作者にとって良好な操作性を提供することが可能となる。
【発明を実施するための最良の形態】
【００２８】
本発明の一実施形態に係る画像受付装置および画像受付処理プログラムを内蔵した写真プリント装置（画像プリント装置）１について、図１〜図１２を用いて説明すれば以下の通りである。
［写真プリント装置１の全体構成］
本発明の一実施形態に係る写真プリント装置１は、図１に示すように、写真プリント店の店頭に設置される店頭受付機である。また、写真プリント装置１は、ＣＤ−ＲやＵＳＢメモリを含む各種記録メディアやカメラ付き携帯電話等から画像データを取得して必要なプリント枚数等の内容がユーザによって入力されると、入力内容を反映させて写真プリントを行う。写真プリント装置１は、ディスプレイ（表示部）１１等を含む受付装置（画像受付装置）２と、プリンタ（プリント部）３とを備えている。
【００２９】
受付装置２は、プリンタ３の上に載置されており、ディスプレイ１１、メディアリーダ１２、赤外線受光部１３、ＣＤ（コンパクトディスク）ドライブ１４、ＦＤ（フロッピー（登録商標）ディスク）ドライブ１５を備えている。以下、メディアリーダ１２、ＣＤドライブ１４、ＦＤドライブ１５を総称してメディアドライブ１２，１４，１５と示す。
プリンタ３は、受付装置２において取得された画像データを、ユーザによって設定されたプリント枚数等の内容に基づいて、後述するプリント制御部３７によって制御される。
【００３０】
ディスプレイ１１は、タッチパネル式の表示装置であって、プリント枚数等の設定等がアイコンやボタン等の接触操作によって入力される。
ディスプレイ１１は、画像表示面に入力手段としてのタッチパネル１１ａが形成されている。タッチパネル１１ａは、操作者が接触して入力操作することにより入力操作信号を出力するように構成されているとともに、その操作者が接触する部分によって異なる入力操作信号を出力するようになっている。
【００３１】
メディアリーダ１２は、各種記録メディアに対応することができるように複数種類設けられており、挿入された記録メディアから画像データを取得する。
赤外線受光部１３は、カメラ付き携帯電話から赤外線送信される画像データを、赤外線を通じて取得する。
ＣＤドライブ１４およびＦＤドライブ１５は、ＣＤ−Ｒ／ＲＷ、ＦＤがそれぞれ挿入され、記録された画像データを取得する。また、ＣＤドライブ１４については、画像処理後の画像データを記録することもできる。
【００３２】
受付装置２には、制御手段としてのコントローラ２０およびデータ格納部としてのハードディスク２３が内蔵されている。
コントローラ２０の機能は、ネットワーク機能を有する汎用コンピュータと実質的に同様であり、複数のメディアドライブ１２，１４，１５、赤外線受光部１３およびタッチパネル１１ａとの情報のやりとりや、操作者のタッチパネル１１ａによる入力操作に基づいて、操作画面の生成、プリンタ３によるプリント、ハードディスク２３への格納管理の制御を行う。
【００３３】
コントローラ２０は、図２に示すように、ＣＰＵ２１と、作業領域が形成されるＲＡＭ型の半導体メモリや、プログラムやパラメータが保存されるＲＯＭ型の半導体メモリの総称としてのメモリ２２を有している。また、コントローラ２０は、ＲＯＭに格納された画像受付処理プログラムＰＧをＲＡＭに読み込むことにより、図３に示すように、画像情報処理部３１と、表示モード選択部（補正方法選択部）３２と、表示制御部（第１のステップ）３３と、受付部（第２のステップ）３４と、表示色調整部３５と、プリント選択部３６と、プリント制御部（第３のステップ）３７と、自動補正部（画像処理部）３８と、合成部３９と、を備えた機能ブロックを形成する。そして、上記機能ブロックは、コントローラ２０によって実行可能な状態となる。
【００３４】
画像情報処理部３１は、メディアリーダ１２，ＣＤドライブ１４、ＦＤドライブ１５のいずれかに挿入されたメディアＭ１から読み出した画像データ（ＪＰＥＧやＴＩＦＦ等）をサムネイル形式（以下、サムネイル画像Ｓと示す）でディスプレイ１１に操作画面として表示するように機能する。画像情報処理部３１は、メディアＭ１にサムネイル画像Ｓが含まれる場合には、サムネイル画像Ｓの表示を行い、サムネイル画像Ｓが存在しない場合には、オリジナルの画像データからサムネイル画像Ｓを生成してディスプレイ１１に表示する。
【００３５】
表示モード選択部３２は、操作画面を通常のカラーで表示する「通常モード」と、操作画面をグレースケール表示（色弱者用表示）にする「くっきりモード」と、を選択可能にする。表示モード選択部３２による具体的な表示モードの選択方法は、後段にて詳述する。
表示制御部３３は、操作者にメディアドライブ１２，１４，１５によって読み出される画像データのプリント注文を行うための入力操作を促す複数の操作画面をディスプレイ１１に表示する。また、表示モード選択部３２によって、「くっきりモード」に表示されるように選択された場合には、上記画像データを含む操作画面をグレースケール表示に補正処理して、ディスプレイ１１に表示させる。
【００３６】
受付部３４は、表示制御部３３がディスプレイ１１に表示する操作画面とタッチパネル１１ａとを介して、補正処理やプリント処理を受け付ける。
表示色調整部３５は、表示制御部３３によってグレースケール表示がされた場合のディスプレイ１１への表示濃度（色合い）を赤（Ｒ）、緑（Ｇ）、青（Ｂ）ごとに調整する。
プリント選択部３６は、ディスプレイ１１に表示されているグレースケール表示の画像データとグレースケール表示前の画像データとの両方をプリンタ３にプリントさせるモードと、ディスプレイ１１表示されているグレースケール表示の画像データのみをプリンタ３にプリントさせるモードとの２つのプリントモードを選択可能にする。なお、具体的なプリントの選択方法については、後段にて詳述する。
【００３７】
プリント制御部３７は、プリント選択部３６において選択されたモードに基づいて画像データをプリントするようにプリンタ３を制御する。なお、プリント制御部３７の具体的なプリンタ３の制御方法については、後段にて詳述する。
自動補正部３８は、プリンタ３によって画像データがプリントされる際に、その品質を良好にするため、例えば、ノイズ補正等の画像処理を自動的に行う。プリンタ３は、画像処理された画像データをプリントする。
【００３８】
合成部３９は、メディアＭ１から読み出した画像データと、ハードディスク２３に記憶されているテンプレートＴＰとを合成する。ハードディスク２３に記憶されているテンプレートＴＰには、カレンダー用、ポストカード用、名刺用等があり、画像データと合成することによって所望の画像に加工することができる。
上記に示した機能ブロックによって、操作者が必要に応じてディスプレイに表示される操作画面をグレースケール表示に補正することが可能となる。また、操作者は必要に応じてグレースケール表示に補正前の画像データと補正後の画像データとの両方を一度の操作でプリントすることが可能となる。
【００３９】
［受付装置２における受付処理］
次に、受付装置２におけるコントローラ２０による基本的な受付処理を処理順序に沿って説明する。図４は、この処理の概要を示すフローチャートである。
ステップＳ１は、受付装置２の待機状態であって、表示制御部３３は、初期画面として、例えば、図５に示すように、受付装置２の機能やＤＰ店のロゴマーク等を含む「待機画面」をディスプレイ１１に表示させる。この「待機画面」には、「画面に触れてください」とのメッセージが表示されている。そして、操作者が、操作画面を触れることによってステップＳ２へ進む。
【００４０】
ステップＳ２においては、表示モード選択部３２は、表示制御部３３を介して、例えば、図６に示すような「表示モード選択画面」をディスプレイ１１に表示させる。この画面には、「表示モードを選択して下さい」とのメッセージと共に、２つのモード（「通常モード」、「くっきりモード」）をそれぞれ選択するためのモード選択ボタン４１ａ，４１ｂおよび戻るボタン４２が表示されている。戻るボタン４２が操作されると、「待機画面」に遷移する。なお、「表示モード選択画面」は、色弱者の人が確実に操作画面を識別できるようにグレースケール表示されている。
【００４１】
ここで、「くっきりモード」を選択するボタン４１ｂが操作されると、表示制御部３３は、操作画面をグレースケール表示に補正処理し、ステップＳ３へ進む。また、「通常モード」が選択された場合には、操作画面に対して補正処理を行わないで、ステップＳ４に進む。なお、以下のステップＳは、「くっきりモード」が選択された場合の説明とし、「通常モード」が選択された場合については、特記した場合を除き、ここではその説明を省略する。
【００４２】
ステップＳ３においては、表示色調整部３５は、表示制御部３３を介して、例えば、図７に示すような「濃淡表示調整画面」をディスプレイ１１に表示させる。この画面には、「各色の濃淡を調整して下さい」とのメッセージと共に、赤（Ｒ）、緑（Ｇ）、青（Ｂ）の各色の濃淡を調整するためのスライドバー４４と、表示イメージウィンドウ４５と、戻るボタン４６と、ＯＫボタン４７とが表示されている。
【００４３】
スライドバー４４は、各色をグレースケール表示した場合の濃淡を調整するためのインタフェイスであって、各色に対応するスライドバー４４ｒ，４４ｇ，４４ｂの位置を左右に移動させることにより、各色の濃淡を調整することができる。例えば、色弱者が、グレースケール表示時の青色の表示をもう少し薄く表示したい場合には、スライドバー４４ｂを左側に移動させればよく、濃く表示したい場合には、スライドバー４４ｂを右側に移動させればよい。表示イメージウィンドウ４５は、スライドバー４４による濃淡の調整具合を確認するための表示イメージであって、スライドバー４４の移動と連動して表示されている画像の濃淡が変化する。これにより、色弱者は、グレースケール表示した場合の濃淡具合を実際に確認しながら、濃淡の調整をすることができる。
【００４４】
そして、操作者によって戻るボタン４６が操作されることによって、ステップＳ２に戻り、ＯＫボタン４７が操作されることによって、ステップＳ４へ進む。
ステップＳ４においては、表示制御部３３は、次の操作画面として、例えば、図８に示すような「メディア選択画面」をディスプレイ１１に表示させる。この「メディア選択画面」には、「メディアを選択してください」とのメッセージと共に、複数のメディアボタン４８，４８，…がグレースケール表示されている。そして、操作者が、この入力操作の後、メディアドライブ１２，１４，１５にセットするメディアＭ１に対応するメディアボタン４８を触れることによってステップＳ５へ進む
なお、「メディア選択画面」の下側には、処理を中止するための中止ボタン４９と、表示中の操作画面（ここでは「メディア選択画面」）の１つ前に表示された操作画面（ここでは「表示モード選択画面」）に戻るための戻るボタン５０とがグレースケール表示されている。そして、これらの中止ボタン４９および戻るボタン５０は、後述の各操作画面においても同様の位置に表示され、ボタンの接触操作により同様に機能する。
【００４５】
ステップＳ５においては、表示制御部３３は、次の操作画面として、「メディアセット案内画面」（図示せず）をディスプレイ１１に表示させる。この画面には、「メディアをセットして、ＯＫボタンを押してください」とのメッセージと共に、ステップＳ５において操作者が選択したメディアＭ１をセットする際の具体的な画像がグレースケール表示されている。そして、操作者がメディアドライブ１２，１４，１５にメディアＭ１をセットし、ＯＫボタン（図示せず）を操作することで、ステップＳ６へ進む。
【００４６】
ステップＳ６においては、画像情報処理部３１が、メディアＭ１から画像データを読み出し、その後、ステップＳ７へ進む。
ステップＳ７においては、表示制御部３３は、次の操作画面として、「プリントサイズ選択画面」（図示せず）をディスプレイ１１に表示させる。この画面には、「プリントサイズを選択してください」とのメッセージと共に、複数のプリントサイズに対応したサイズ指定ボタンがグレースケール表示されている。サイズ指定ボタンには、プリントサイズを示す「Ｌ版」や「２Ｌ版」等の文字の他に、プリントサイズを示す数値と、プリントの単価と、プリントの基本料金とがそれぞれ表示される。そして、操作者がいずれか１つのサイズ指定ボタンを操作すると、プリント制御部３７は、その入力操作されたプリントサイズをメモリ２２に記憶させる。その後、ステップＳ８へ進んで、次の処理を実行する。
【００４７】
ステップＳ８において、表示制御部３３は、次の操作画面として、例えば、図９に示すような「プリント枚数設定画面」をディスプレイ１１に表示させて、操作者に、プリント対象の画像データの選択、プリント枚数の設定およびプリントモードの選択を行わせる。この画面には、「プリント枚数を設定してください」とのメッセージと、メディアＭ１から読み出された複数の画像データに対するサムネイル画像Ｓとがグレースケール表示されている。なお、本実施形態においては、８つのサムネイル画像Ｓが１ページ分として表示される。
【００４８】
また、「プリント枚数設定画面」における各サムネイル画像Ｓを含むフレーム５１の上段には、画像データを特定するファイルの名称、ファイルの種類を示す拡張子およびデータサイズが表示されている。また、フレーム５１の下段には、プリント枚数を示す数値を表示するプリント枚数表示エリア５２が形成され、かつ、このプリント枚数表示エリア５２を互いに挟む位置にプリント枚数を１枚ずつ増加させるプラスボタン５２ａと、プリント枚数を１枚ずつ減少させるマイナスボタン５２ｂとが表示されている。
【００４９】
プリント枚数表示エリア５２にプリント枚数として表示される数値は、初期状態においては「０」である。そして、プラスボタン５２ａが操作されると、その画像のプリント枚数が１増加し、マイナスボタン５２ｂが操作されると、その画像データのプリント枚数が１減少し、その設定枚数がプリント枚数表示エリア５２に表示される。
プリント選択部３６は、表示制御部３３を介して、プリント枚数表示エリア５２の下段に、「通常プリント」と表示されたチェックボックス５２ｃ（以下、チェックボックス５２ｃと示す）を表示させている。
【００５０】
チェックボックス５２ｃは、ステップＳ２において、「くっきりモード」が選択された場合にのみ表示される。「プリント枚数設定画面」に遷移時には、チェックが入った状態となっている。操作者は、チェックボックス５２ｃ上を接触操作することによって、チェックボックス５２ｃへチェックを入れた状態と入れない状態とを選択することができる。また、チェックボックス５２ｃにチェックを入れた場合には、プリント枚数表示エリアの枚数が１枚追加される。
【００５１】
「プリント枚数設定画面」の画面下側には、中止ボタン５３と、画像データの表示順序を逆転させる表示順逆転ボタン５４ａと、全てのプリント枚数を１枚ずつ増加させる全体プラスボタン５４ｂと、全てのプリント枚数を１枚ずつ減少させる全体マイナスボタン５４ｃと、プリントを実行するＯＫボタン５５と、現在表示中のページから１つ前に表示されたページを表示させる（最初のページの表示中に操作したときには、上記「プリントサイズ選択画面」に戻る）戻るボタン５４ｄと、次のページを表示させる進むボタン５４ｅとが表示されている。そして、全体プラスボタン５４ｂと全体マイナスボタン５４ｃとの間には、ページを示す数字（全ページを示す数字および現在表示されているページを示す数字）が表示されている。さらに、画面下側の中央位置には、情報エリアＤＥが表示されている。この情報エリアＤＥには、選択されたプリントサイズの情報、設定されたプリント合計枚数、選択された画像数、プリント１枚の単価およびプリントに要する合計金額が表示される。
【００５２】
表示順逆転ボタン５４ａを操作することによって、画像データをファイル名の昇順と降順とを切り替えて表示することができる。表示順逆転ボタン５４ａは、降順で表示するための降順ボタンと昇順で表示するための昇順ボタンとの２つのボタンからなり、画像データが降順で表示されている際には、昇順ボタンは「昇順で表示」と表示されて、操作可能なボタンとして機能し、降順ボタンは「降順で表示中」と表示されて現在の表示順を示す表示欄として機能する。一方、画像データが昇順で表示されている際には、降順ボタンは「降順で表示」と表示されて操作可能となり、昇順ボタンは「昇順で表示中」と表示されて現在の表示順を示す表示欄として機能する。
【００５３】
また、操作者が、全体プラスボタン５４ｂを操作することによって、画面に表示されない画像も含めて全ての画像データのプリント枚数が１増加され、全体マイナスボタン５４ｃを操作することで、画面に表示されない画像も含めて全ての画像データのプリント枚数が１減少される。
操作者が、上記各種設定を入力し、「プリント枚数設定画面」におけるＯＫボタン５５を接触操作することで、ステップＳ９へ進む。
【００５４】
ステップＳ９においては、プリント制御部３７は、「プリント枚数設定画面」におけるチェックボックス５２ｃへのチェックの有無を確認する。ここで、チェックボックス５２ｃへのチェックの入力が確認された場合には、ステップＳ１０へ進み、チェックボックス５２ｃへのチェックの入力が確認されない場合には、ステップＳ１１へ進む。
ステップＳ１０においては、プリント制御部３７は、プリント対象の画像データに対して、ディスプレイ１１に表示された状態、すなわち、「くっきりモード」に変換された状態の画像データを設定された枚数に従ってプリントするようにプリンタ３を制御する。さらに、プリント制御部３７は、チェックボックス５２ｃにチェックが入ったプリント対象の画像データに対しては、「くっきりモード」に変換表示される前の画像データも合わせてプリントするようにプリンタ３を制御する。そして、ステップＳ１２へ進む。
【００５５】
ステップＳ１１においては、プリント制御部３７は、プリント対象の画像データに対して、ディスプレイ１１に表示された状態、すなわち、「くっきりモード」に変換された状態の画像データを設定された枚数に従ってプリントするようにプリンタ３を制御する。そして、ステップＳ１２へ進む。
ステップＳ１２においては、自動補正部３８が、ディスプレイ１１に表示されている画像が「くっきりモード」で表示されているかどうかの確認を行う。ここで、「くっきりモード」で表示されていない場合には、ステップＳ１３へ進み、自動補正部３８は、プリントする画像データに対して、例えば、ノイズ補正等の画像処理を行う。そして、ステップＳ１４へ進む。
【００５６】
一方、ステップＳ１２において「くっきりモード」が選択されていた場合には、自動補正部３８は、プリントする画像データに対して画像処理を行わないで、ステップＳ１４へ進む。
ステップＳ１４においては、プリンタ３は、プリント制御部３７の制御に従って、「くっきりモード」に変換された状態の画像データをプリント（くっきりプリント）するか、あるいは、「くっきりモード」に変換された状態の画像データと「くっきりモード」に変換表示される前の画像データをプリント（くっきりプリントと通常プリント）する。そして、ステップＳ１５へ進む。
【００５７】
ここで、１枚の画像データをプリントする場合について具体的に説明すると、例えば、図９で示される「プリント枚数設定画面」において、図１０（ａ）に示すように、プリント枚数表示エリア５２内の枚数が「１枚」、チェックボックス５２ｃにチェックが入っていない状態でＯＫボタン５５を操作すると、くっきりプリントが１枚、通常プリントが０枚プリントされる。例えば、図１０（ｂ）に示すように、プリント枚数表示エリア５２内の枚数が「２枚」、チェックボックス５２ｃにチェックが入った状態でＯＫボタン５５を操作すると、くっきりプリントが１枚、通常プリントが１枚プリントされる。例えば、図１０（ｃ）に示すように、プリント枚数表示エリア５２内の枚数が「３枚」、チェックボックス５２ｃにチェックが入った状態でＯＫボタン５５を操作すると、くっきりプリントが２枚、通常プリントが１枚プリントされる。
【００５８】
ステップＳ１５においては、表示制御部３３は、次の操作画面として、図示しない「メディア取り出し案内画面」をディスプレイ１１に表示させる。この画面には、「メディアを取り出してください」とのメッセージが表示される。操作者は、この表示に従いメディアＭ１を取り出し、ＯＫボタン（図示せず）を操作することで、一連の画像受付処理を終了する。
【００５９】
（テンプレート使用時の色弱者用表示およびプリント制御）
ここでは、図９のサムネイル画像Ｓ等に、図１１に示すようなテンプレートと合成した画像（以下、合成画像と示す）Ｐｔｐを表示する場合の色弱者用表示およびプリント制御部３７におけるプリント制御について説明する。
合成画像Ｐｔｐは、図示しない「テンプレート選択画面」において生成が可能であって、操作者は、カレンダー用、ポストカード用、名刺用等、複数表示されたテンプレートＴＰの中から任意のテンプレートＴＰを選択することが可能である。なお、「テンプレート選択画面」は、例えば、「プリント枚数設定画面」から遷移させることができる。そして、合成部３９は、メディアＭ１から読み出した画像データＩＭと、「テンプレート選択画面」において選択されたテンプレートＴＰとを合成する。
【００６０】
ここで、合成部３９によってテンプレートと合成された画像は、例えば、図９に示す「プリント枚数設定画面」のフレーム５１では、図１２に示すように表示される。そして、「くっきりモード」が選択されている場合、表示制御部３３は、サムネイル画像Ｓのうちテンプレート部分ＴＰを色弱者が識別可能な色合いの表示とし、画像データＩＭの部分は色弱者が識別可能な色合いの表示に変換することなく画像を表示する。
【００６１】
また、「くっきりモード」が選択されている場合、プリント枚数表示エリア５２の下段には、チェックボックス５２ｃが表示される。そして、操作者が、チェックボックス５２ｃにチェックを入力して、ＯＫボタン５５を操作した場合には、プリント制御部３７は、プリント対象の画像データに対して、ディスプレイ１１に表示された状態、すなわち、合成画像Ｐｔｐのうちテンプレート部分ＴＰのみを「くっきりモード」に変換した状態の画像データをプリントするようにプリンタ３を制御する。さらに、プリント制御部３７は、テンプレート部分ＴＰが「くっきりモード」に変換される前の合成画像Ｐｔｐもプリントするようにプリンタ３を制御する。
【００６２】
［写真プリント装置１の特徴］
（１）
本実施形態の写真プリント装置１では、受付部３４が、ディスプレイに表示されている「くっきりモード」に対応して補正処理（グレースケール表示）された画像データに対するプリント命令を受け付けた時、プリント制御部３７は、グレースケール表示に補正処理された画像データと補正処理される前の画像データとの両方をプリントするようにプリンタ３を制御している。
【００６３】
これにより、操作者は、プリント処理を実行させるための一度の操作をするだけで、「くっきりモード」に補正処理する前の画像データと「くっきりモード」に補正処理した後の画像データとを同時にプリントさせることが可能となる。
この結果、所定の補正処理が施されたディスプレイ１１に表示された画像データをプリントする際に、操作者にとって良好な操作性を提供することが可能となる。
【００６４】
（２）
本実施形態の写真プリント装置１においては、表示制御部３３が、「くっきりモード」に補正処理している。
これにより、健常者の他人に渡すためのプリントと自分用のプリントとが欲しい色弱者に対して、良好な操作性を提供することが可能となる。
【００６５】
（３）
本実施形態の写真プリント装置１では、補正処理の一つとして、白から黒までの明暗だけで表現し、色の情報を含まないグレースケール表示を適用している。
これにより、色の情報を含まないで画像データを形成することが可能となるので、色弱者が、色情報を含んでいることによって表示データを識別できないという可能性を排除することを可能としている。
【００６６】
（４）
本実施形態の写真プリント装置１では、自動補正部３８は、「くっきりモード」に補正処理された画像データに対しては、自動補正を行わない。
これにより、「くっきりモード」に補正された画像データが自動的に補正されることによって識別性を損なうことを回避することができる。
【００６７】
（５）
本実施形態の写真プリント装置１では、表示モード選択部３２が、操作画面を通常のカラー表示にする「通常モード」と、操作画面全体をグレースケール表示にする「くっきりモード」と、を選択可能にしている。
これにより、操作者が必要に応じて、あるいは、好みに応じて、ディスプレイに表示される操作画面の表示状態を選択することが可能となる。
【００６８】
（６）
本実施形態の写真プリント装置１では、表示色調整部３５が、濃淡表示調整画面において入力された値を基にグレースケール表示がされた場合のディスプレイ１１への表示濃度（色合い）を赤（Ｒ）、緑（Ｇ）、青（Ｂ）ごとに調整している。
これにより、個人差によって操作画面に見え方の違いがある場合であっても、個々に調整することができるので、操作者にとって最も見やすい表示にすることが可能となる。
【００６９】
（７）
本実施形態の写真プリント装置１においては、プリント選択部３６が、表示制御部３３を介して、プリント枚数表示エリア５２の下段に、「通常プリント」と表示されたチェックボックス５２ｃ（以下、チェックボックス５２ｃと示す）を表示させている。
これにより、通常プリントをプリントするかしないかを、操作者が必要に応じて選択することが可能となる。
【００７０】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態の写真プリント装置１では、メモリ２２に格納された画像受付処理プログラムＰＧをコントローラ２０が実行することによって、図３に示す機能ブロックを構築する例を挙げて説明した。しかし、本発明はこれに限定されるものではない。
【００７１】
例えば、図３に示す機能ブロックは、複数のハードウェア、１つのハードウェアやコンピュータソフトウェア等の機能を組み合わせて構築してもよく、処理能力等に応じて適宜決めることができる。
（Ｂ）
上記実施形態の写真プリント装置１においては、表示制御部３３が、ディスプレイ１１に表示する画像データを「くっきりモード」に補正処理する例を挙げて説明した。しかし、本発明はこれに限定されるものではない。
【００７２】
例えば、ディスプレイに表示される画像データに対して、ノイズ補正や赤目補正、収差補正等の補正処理を行っても、上記の実施形態に係る写真プリント装置１と同様の効果を得ることができる。
（Ｃ）
上記実施形態の写真プリント装置１においては、プリント制御部３７が、ディスプレイ１１に表示された画像データをプリントする例を挙げて説明した。しかし、本発明はこれに限定されるものではない。
【００７３】
例えば、ディスプレイに表示されている操作画面をプリントする場合においても本発明を適用することができる。また、ディスプレイに、インターネットを介してＷＥＢページ等が表示される場合においても、本発明を適用することが可能である。
これによれば、ＷＥＢページを色弱者用表示に補正処理してディスプレイに表示した場合に、インターネットを介して配信される元データと色弱者用表示に補正処理したデータとの両方を一度にプリントすることが可能となる。
【００７４】
（Ｄ）
上記実施形態の写真プリント装置１では、「通常プリント」を「くっきりプリント」と同時にプリントする場合の受付を、図９に示すように、チェックボックス５２ｃへの入力によって行う例を挙げて説明した。しかし、本発明はこれに限定されるものではない。
例えば、図１３に示すように、「通常プリント」と、「くっきりプリント」とに対してそれぞれプリント枚数を設定するような操作画面１５１であってもよい。
【００７５】
これによれば、「くっきりモード」に補正処理された後の画像データ（ディスプレイに表示されている画像データ）のみをプリントするモードと、「くっきりモード」に補正処理される前の画像データのみをプリントするモードと、「くっきりモード」に補正処理される後および補正処理される前の両方の画像データをプリントするモードと、を選択することが可能となる。
【００７６】
（Ｅ）
上記実施形態の写真プリント装置１では、色弱者用表示として色情報を使わないグレースケール表示を採用した例を挙げて説明した。しかし、本発明はこれに限定されるものではない。
例えば、赤緑色弱者（いわゆる、Ｐ型色覚）が識別できるような色合いに代替（赤色を青色に、青緑色を紫色に代替）しても、上記の実施形態に係る写真プリント装置１と同様の効果を得ることができる。
【００７７】
（Ｆ）
上記実施形態の写真プリント装置１では、表示色調整部３５が、グレースケール表示時における濃度を調整する例を挙げて説明した。しかし、本発明はこれに限定されるものではない。
例えば、赤緑色弱者（いわゆる、Ｐ型色覚）が識別できるような色合いに代替した場合には、各色の彩度や明度を調整してもよい。また、代替する色を調整するようにしてもよい。
【００７８】
（Ｇ）
上記実施形態においては、ディスプレイ１１とプリンタ３と受付装置２とが一体となって形成されている写真プリント装置１を例として挙げて説明した。しかし、本発明は、これに限定されるものではない。
例えば、写真プリント装置に搭載される受付装置としてではなく、１つ以上のプリンタに対して各種命令を実行させる受付端末機として本発明を実現することも可能である。
【００７９】
（Ｈ）
上記実施形態の写真プリント装置１では、写真プリント装置１に対して本発明の受付装置２が搭載されている例を挙げて説明した。しかし、本発明は、これに限定されるものではない。
例えば、写真プリント装置１に搭載される受付装置２としてではなく、上述した各ステップＳを含む画像受付処理方法をコンピュータに実行させる画像受付処理プログラムとして本発明を実現することも可能である。この場合、一般のＰＣ等にインストールさせることによって、上記の実施形態に係る写真プリント装置１と同様の効果を得ることができる。
【産業上の利用可能性】
【００８０】
本発明によれば、操作者にとって良好な操作性を提供することが可能となるので、ユーザ自らが操作する各種受付装置やソフトウェアとしての適用が特に有用である。
【図面の簡単な説明】
【００８１】
【図１】本発明の一実施形態に係る受付装置を含む写真プリント装置の外観図。
【図２】図１の写真プリント装置における制御ブロック図。
【図３】図１の写真プリント装置において形成される機能ブロック図。
【図４】図３に含まれるコントローラによる画像受付処理を示すフローチャート。
【図５】図３に含まれる表示制御部が表示する待機画面を示した図。
【図６】図３に含まれる表示制御部が表示する表示モード選択画面を示した図。
【図７】図３に含まれる表示制御部が表示する濃淡表示調整画面を示した図。
【図８】図３に含まれる表示制御部が表示するメディア選択画面を示した図。
【図９】図３に含まれる表示制御部が表示するプリント枚数選択画面を示した図。
【図１０】（ａ），（ｂ），（ｃ）は、図９に含まれるフレーム内の表示内容を拡大した図。
【図１１】図３に含まれる合成部が生成する合成画像の一例を示した図。
【図１２】図１１の合成画像が表示されたプリント枚数選択画面を示した図。
【図１３】本発明の他の実施形態に係る受付装置が表示するプリント枚数選択画面の一部を示した図。
【符号の説明】
【００８２】
１        写真プリント装置（画像プリント装置）
２        受付装置（画像受付装置）
３        プリンタ（プリント部）
１１      ディスプレイ（表示部）
１１ａ    タッチパネル
１２      メディアリーダ
１３      赤外線受光部
１４      ＣＤドライブ
１５      ＦＤドライブ
２０      コントローラ
２１      ＣＰＵ
２２      メモリ
２３      ハードディスク
３１      画像情報処理部
３２      表示モード選択部（補正方法選択部）
３３      表示制御部（第１のステップ）
３４      受付部（第２のステップ）
３５      表示色調整部
３６      プリント選択部（第３のステップ）
３７      プリント制御部
３８      自動補正部（画像処理部）
３９      合成部
４１ａ，４１ｂ    モード選択ボタン
４２      戻るボタン
４４      スライドバー
４４ｒ    スライドバー（赤）
４４ｇ    スライドバー（緑）
４４ｂ    スライドバー（青）
４５      表示イメージウィンドウ
４６      戻るボタン
４７      ＯＫボタン
４８      メディアボタン
４９      中止ボタン
５０      戻るボタン
５１      フレーム
５２      プリント枚数表示エリア
５２ａ    プラスボタン
５２ｂ    マイナスボタン
５２ｃ    チェックボックス
５３      中止ボタン
５４ａ    表示順逆転ボタン
５４ｂ    全体プラスボタン
５４ｃ    全体マイナスボタン
５４ｄ    戻るボタン
５４ｅ    進むボタン
５５      ＯＫボタン
１５１    操作画面
ＤＥ      情報エリア
Ｍ１      メディア
Ｐｔｐ    合成画像
ＴＰ      テンプレート
ＩＭ      画像データ
【図１】
2009025352.tif 000003
【図２】
2009025352.tif 000004
【図３】
2009025352.tif 000005
【図４】
2009025352.tif 000006
【図５】
2009025352.tif 000007
【図６】
2009025352.tif 000008
【図７】
2009025352.tif 000009
【図８】
2009025352.tif 000010
【図９】
2009025352.tif 000011
【図１０】
2009025352.tif 000012
【図１１】
2009025352.tif 000013
【図１２】
2009025352.tif 000014
【図１３】
2009025352.tif 000015